(57)【特許請求の範囲】
【請求項１】
絶縁ヤットコ（１）を用いて絶縁クリップ（１０）の一対の挟み部材（１１Ｕ，１１Ｄ）を閉状態から開状態に切り替えるための絶縁クリップ把持用先端工具であって、
前記絶縁クリップの円形板状に形成された一対の把持部材（１３Ｕ，１３Ｄ）の把持面の中央部にそれぞれ突設された一対の突起物（１４Ｕ，１４Ｄ）と、
前記絶縁ヤットコの一対の把持片（１ａ）に１個ずつ取り付けられる、かつ、該絶縁ヤットコの該一対の把持片で前記絶縁クリップの前記一対の把持部材を把持して該絶縁クリップの前記一対の挟み部材を閉状態から開状態に切り替える際に前記一対の突起物の一方を挟むコの字型の把持部を備えたクリップ把持工具（２０）と、
を具備することを特徴とする、絶縁クリップ把持用先端工具。
【請求項２】
前記絶縁クリップの前記一対の把持部材が、上側および下側外枠部（１３Ｕａ，１３Ｄａ）と、該上側および下側外枠部内に設けられたかつ該上側および下側外枠部よりも厚さが小さい上側および下側板状部（１３Ｕｂ，１３Ｄｂ）とでそれぞれ構成された上側および下側把持部材（１３Ｕ，１３Ｄ）であり、
前記一対の突起物が、前記上側および下側板状部の把持面の中央部にそれぞれ突設された上側および下側突起物（１４Ｕ，１４Ｄ）である、
ことを特徴とする、請求項１記載の絶縁クリップ把持用先端工具。
【請求項３】
前記クリップ把持工具が、
前記絶縁ヤットコの前記一対の把持片の一方の先端部を挿入するための挿入穴が裏面に形成された矩形板状のヤットコ取付部材（２１）と、
該ヤットコ取付部材の上面の中央部に取り付けられた、かつ、該ヤットコ取付部材の前記挿入穴に挿入された前記一対の把持片の一方を固定するための取付ネジ（２２）と、
を備えることを特徴とする、請求項１または２記載の絶縁クリップ把持用先端工具。
【請求項４】
前記クリップ把持工具が、
前記ヤットコ取付部材の前面の下部の左右側面側にそれぞれ固定された矩形板状の左側および右側固定部材（２３Ｌ，２３Ｒ）と、
該左側および右側固定部材の内側にそれぞれ設けられた左側および右側可動部材（２４Ｌ，２４Ｒ）と、
左右端が前記左側および右側固定部材の末端部にそれぞれ固定された支持棒（２６）とを備え、
前記左側および右側可動部材が前記支持棒に回転自在に取り付けられている、
ことを特徴とする、請求項３記載の絶縁クリップ把持用先端工具。
【請求項５】
前記クリップ把持工具が、
前記ヤットコ取付部材の前面の上部の左右側面側並びに前記左側および右側固定部材の上面にそれぞれ固定された左側および右側棒固定部材（２９Ｌ，２９Ｒ）と、
該左側および右側棒固定部材に左右端がそれぞれ固定されたバネ取付棒（２８）と、
該バネ取付棒に取り付けられた、かつ、前記左側および右側可動部材を下方に付勢するための左側および右側ねじりバネ（２７Ｌ，２７Ｒ）と、
をさらに備えることを特徴とする、請求項４記載の絶縁クリップ把持用先端工具。
【請求項６】
左側および右側ねじりバネが、
前記バネ取付棒の中央部の左右にそれぞれ巻き付けられた左側および右側巻回部と、
該左側および右側巻回部の右端および左端から末広がりにそれぞれ拡開されて延びた、かつ、前記ヤットコ取付部材の前面および上面に固定された第１の左側および右側線状部と、
前記左側および右側巻回部の左端および右端から末広がりにそれぞれ拡開されて延びた、かつ、前記左側および右側可動部材の上面にそれぞれ固定された第２の左側および右側線状部と、
を備えることを特徴とする、請求項５記載の絶縁クリップ把持用先端工具。
【請求項７】
前記クリップ把持工具が、前記左側および右側可動部材の間に設けられた、かつ、前記支持棒の中央部に固定されたガタツキ防止部材（２５）をさらに備えることを特徴とする、請求項４乃至６いずれかに記載の絶縁クリップ把持用先端工具。
【発明の詳細な説明】
【技術分野】
【０００１】
本発明は、絶縁ヤットコを用いて絶縁クリップを絶縁シートに仮固定するのに好適な絶縁クリップ把持用先端工具に関する。
【背景技術】
【０００２】
高圧配電線路の活線工事では、電線の充電部に被せた絶縁シートが工事中に離脱しないように絶縁シートを電線に仮固定するために、絶縁クリップを使用している。
【０００３】
このような絶縁クリップは、一般的に、絶縁シートを挟持するための一対の挟み部材（図７（ｂ）に示す上側および下側挟み部材１１Ｕ，１１Ｄ参照）と、一対の挟み部材の基端部側で一対の挟み部材を開閉可能に連結する連結部（図７（ｂ）に示す連結部１２参照）と、一対の挟み部材を閉状態（一対の挟み部材が当接した状態）に付勢するための付勢部材（図６（ｂ）に示す固定ピン１２ａの中央部に巻き付けられた巻回部および巻回部の両端から末広がりに拡開させて延びたかつ一対の把持部材の対向面側に押し当てられた一対の線状部を備えたねじりバネ（不図示））と、付勢部材の付勢力に抗して一対の挟み部材を開状態（一対の挟み部材が離間した状態）に切り替えるための一対の把持部材（図７（ｂ）に示す上側および下側把持部材１３Ｕ，１３Ｄ参照）とを備える。
ここで、絶縁クリップの一対の挟み部材を閉状態から開状態に切り替える際には、図６に示す絶縁ヤットコ１（間接活線工具）の一対の把持片１ａで絶縁クリップの一対の把持部材を把持して挟んで絶縁クリップの一対の挟み部材を離間させるようにしているため、絶縁クリップの一対の把持部材は、絶縁ヤットコ１の一対の把持片１ａで把持し易いように、四角形状に形成されている（たとえば、下記の特許文献１の図２参照）。
【０００４】
しかし、一対の把持部材が四角形状に形成された絶縁クリップでは、絶縁ヤットコ１の一対の把持片１ａで一対の把持部材を把持する際に安定よく把持できる方向が四角形状の把持部材の四辺のうち最も外側の辺に対して直角となる一定方向に制約されることになることから、本出願人は、下記の特許文献２において、図７（ａ），（ｂ）に示す絶縁クリップ１０のように、上側および下側把持部材１３Ｕ，１３Ｄ（一対の把持部材）を円形板状に形成することにより、絶縁ヤットコ１の一対の把持片１ａを上側および下側把持部材１３Ｕ，１３Ｄに対して任意の方向から差し入れて安定よく把持することができる絶縁クリップ（間接活線工事用クリップ）を提案している。
【先行技術文献】
【特許文献】
【０００５】
【特許文献１】特開２００１−０２７２０９号公報
【特許文献２】特開２０１１−０８９６２９号公報
【発明の概要】
【発明が解決しようとする課題】
【０００６】
しかしながら、図７（ａ），（ｂ）に示した絶縁クリップ１０では、上側および下側把持部材１３Ｕ，１３Ｄが円環状の上側および下側外枠部１３Ｕａ，１３Ｄａ（下側外枠部１３Ｄａは不図示）と上側および下側外枠部１３Ｕａ，１３Ｄａ内に設けられたかつ上側および下側外枠部１３Ｕａ，１３Ｄａよりも厚さが小さい上側および下側板状部１３Ｕｂ，１３Ｄｂ（下側板状部１３Ｄｂは不図示）とで構成されているため、一対の把持片１ａが上側および下側板状部１３Ｕｂ，１３Ｄｂに当接するように作業員が絶縁ヤットコ１を操作した場合には上側および下側把持部材１３Ｕ，１３Ｄを安定して把持できるが、一対の把持片１ａが上側および下側外枠部１３Ｕａ，１３Ｄａに当接するように作業員が絶縁ヤットコ１を操作した場合には、一対の把持片１ａと上側および下側外枠部１３Ｕａ，１３Ｄａとが線または点でしか接触しなくなるので、絶縁クリップ１０が回転したり、絶縁クリップ１０を挟み損ねて絶縁クリップ１０が落下したりするという問題がある。
【０００７】
なお、絶縁クリップ１０を電線に仮固定する作業は、１ｍ先から絶縁ヤットコ１を斜め上に向けて行うことが多いため、一対の把持片１ａが上側および下側板状部１３Ｕｂ，１３Ｄｂに当接するように絶縁ヤットコ１を常に操作することは、熟練の作業員であればそれほど難しい作業ではないが、慣れていない作業員には難しい作業となる。
【０００８】
本発明の目的は、一対の把持片が絶縁クリップの一対の把持部材の外枠部に当接するように絶縁ヤットコを操作しても絶縁クリップを安定よく把持することができる絶縁クリップ把持用先端工具を提供することにある。
【課題を解決するための手段】
【０００９】
本発明の絶縁クリップ把持用先端工具は、絶縁ヤットコ（１）を用いて絶縁クリップ（１０）の一対の挟み部材（１１Ｕ，１１Ｄ）を閉状態から開状態に切り替えるための絶縁クリップ把持用先端工具であって、前記絶縁クリップの円形板状に形成された一対の把持部材（１３Ｕ，１３Ｄ）の把持面の中央部にそれぞれ突設された一対の突起物（１４Ｕ，１４Ｄ）と、前記絶縁ヤットコの一対の把持片（１ａ）に１個ずつ取り付けられる、かつ、該絶縁ヤットコの該一対の把持片で前記絶縁クリップの前記一対の把持部材を把持して該絶縁クリップの前記一対の挟み部材を閉状態から開状態に切り替える際に前記一対の突起物の一方を挟むコの字型の把持部を備えたクリップ把持工具（２０）とを具備することを特徴とする。
ここで、前記絶縁クリップの前記一対の把持部材が、上側および下側外枠部（１３Ｕａ，１３Ｄａ）と、該上側および下側外枠部内に設けられたかつ該上側および下側外枠部よりも厚さが小さい上側および下側板状部（１３Ｕｂ，１３Ｄｂ）とでそれぞれ構成された上側および下側把持部材（１３Ｕ，１３Ｄ）であり、前記一対の突起物が、前記上側および下側板状部の把持面の中央部にそれぞれ突設された上側および下側突起物（１４Ｕ，１４Ｄ）であってもよい。
前記クリップ把持工具が、前記絶縁ヤットコの前記一対の把持片の一方の先端部を挿入するための挿入穴が裏面に形成された矩形板状のヤットコ取付部材（２１）と、該ヤットコ取付部材の上面の中央部に取り付けられた、かつ、該ヤットコ取付部材の前記挿入穴に挿入された前記一対の把持片の一方を固定するための取付ネジ（２２）とを備えてもよい。
前記クリップ把持工具が、前記ヤットコ取付部材の前面の下部の左右側面側にそれぞれ固定された矩形板状の左側および右側固定部材（２３Ｌ，２３Ｒ）と、該左側および右側固定部材の内側にそれぞれ設けられた左側および右側可動部材（２４Ｌ，２４Ｒ）と、左右端が前記左側および右側固定部材の末端部にそれぞれ固定された支持棒（２６）とを備え、前記左側および右側可動部材が前記支持棒に回転自在に取り付けられていてもよい。
前記クリップ把持工具が、前記ヤットコ取付部材の前面の上部の左右側面側並びに前記左側および右側固定部材の上面にそれぞれ固定された左側および右側棒固定部材（２９Ｌ，２９Ｒ）と、該左側および右側棒固定部材に左右端がそれぞれ固定されたバネ取付棒（２８）と、該バネ取付棒に取り付けられた、かつ、前記左側および右側可動部材を下方に付勢するための左側および右側ねじりバネ（２７Ｌ，２７Ｒ）とをさらに備えてもよい。
左側および右側ねじりバネが、前記バネ取付棒の中央部の左右にそれぞれ巻き付けられた左側および右側巻回部と、該左側および右側巻回部の右端および左端から末広がりにそれぞれ拡開されて延びた、かつ、前記ヤットコ取付部材の前面および上面に固定された第１の左側および右側線状部と、前記左側および右側巻回部の左端および右端から末広がりにそれぞれ拡開されて延びた、かつ、前記左側および右側可動部材の上面にそれぞれ固定された第２の左側および右側線状部とを備えてもよい。
前記クリップ把持工具が、前記左側および右側可動部材の間に設けられた、かつ、前記支持棒の中央部に固定されたガタツキ防止部材（２５）をさらに備えてもよい。
【発明の効果】
【００１０】
本発明の絶縁クリップ把持用先端工具は、一対の把持片が絶縁クリップの一対の把持部材の外枠部に当接するように絶縁ヤットコを操作しても絶縁クリップを安定よく把持することができるという効果を奏する。
【図面の簡単な説明】
【００１１】
【図１】本発明の一実施例による絶縁クリップ把持用先端工具を構成する上側および下側突起物１４Ｕ，１４Ｄについて説明するための図であり、（ａ）は絶縁クリップ１０を上から見た図であり、（ｂ）は絶縁クリップ１０を左側面から見た図である。
【図２】本発明の一実施例による絶縁クリップ把持用先端工具を構成するクリップ把持工具２０の構成について説明するための図であり、（ａ）はクリップ把持工具２０の斜視図であり、（ｂ）はクリップ把持工具２０の上面図である。
【図３】図２に示したクリップ把持工具２０の構成について説明するための図であり、（ａ）はヤットコ取付部材２１を裏面から見た図であり、（ｂ）は左側および右側可動部材２４Ｌ，２４Ｒの動きについて説明するための図である。
【図４】本発明の一実施例による絶縁クリップ把持用先端工具の使用方法について説明するための図である。
【図５】本発明の一実施例による絶縁クリップ把持用先端工具の使用方法について説明するための図である。
【図６】絶縁ヤットコ１の構成を示す図である。
【図７】本出願人が上記の特許文献２で提案した絶縁クリップ１０の構成および課題について説明するための図であり、（ａ）は絶縁クリップ１０を上から見た図であり、（ｂ）は絶縁クリップ１０を左側面から見た図である。
【発明を実施するための形態】
【００１２】
上記の目的を、絶縁クリップの円形板状に形成された一対の把持部材の把持面の中央部に一対の突起物をそれぞれ突設させるとともに、絶縁ヤットコの一対の把持片で絶縁クリップの一対の把持部材を把持して絶縁クリップの一対の挟み部材を閉状態から開状態に切り替える際に一対の突起物の一方を挟むコの字型の把持部を備えたクリップ把持工具を絶縁ヤットコの一対の把持片に１個ずつ取り付けることにより実現した。
【実施例１】
【００１３】
以下、本発明の絶縁クリップ把持用先端工具の実施例について、図面を参照して説明する。
本発明の絶縁クリップ把持用先端工具は、以下に示す特徴を有する。
（１）絶縁クリップ把持用先端工具を構成するクリップ把持工具を絶縁ヤットコ１の一対の把持片１ａに１個ずつ取り付けて使用する。
（２）絶縁クリップの円形板状に形成された一対の把持部材の把持面の中央部に円柱状の突起物を取り付けるとともに、クリップ把持工具の把持部に上下に可動する可動部を備えさせて、絶縁ヤットコ１で絶縁クリップの一対の挟み部材を離間させるとクリップ把持工具の可動部が上がって突起物の両側に壁を作ることにより、絶縁クリップが回転したり落下したりしないようにする。
【００１４】
そのため、本発明の一実施例による絶縁クリップ把持用先端工具は、図１（ａ），（ｂ）に示す円柱状の上側および下側突起物１４Ｕ，１４Ｄと、図２（ａ），（ｂ）に示すクリップ把持工具２０とを具備する。
【００１５】
ここで、上側突起物１４Ｕは、図７（ａ），（ｂ）に示した絶縁クリップ１０の上側把持部材１３Ｕの上側板状部１３Ｕｂの把持面（すなわち、絶縁ヤットコ１の一対の把持片１ａのうちの一方で把持される面）の中央部に突設されている。
同様に、下側突起物１４Ｄは、絶縁クリップ１０の下側把持部材１３Ｄの下側板状部１３Ｄｂの把持面（すなわち、絶縁ヤットコ１の一対の把持片１ａのうちの他方で把持される面）の中央部に突設されている。
【００１６】
クリップ把持工具２０は、図２（ａ），（ｂ）に示すように、矩形板状のヤットコ取付部材２１と、ヤットコ取付部材２１の上面の中央部に取り付けられた取付ネジ２２と、ヤットコ取付部材２１の前面の下部の左右側面側にそれぞれ固定された矩形板状の左側および右側固定部材２３Ｌ，２３Ｒと、左側および右側固定部材２３Ｌ，２３Ｒの内側にそれぞれ設けられた左側および右側可動部材２４Ｌ，２４Ｒと、左側および右側可動部材２４Ｌ，２４Ｒの間に設けられた円筒状のガタツキ防止部材２５と、左右端が左側および右側固定部材２３Ｌ，２３Ｒの末端部にそれぞれ固定された円柱状の支持棒２６と、左側および右側ねじりバネ２７Ｌ，２７Ｒと、円柱状のバネ取付棒２８と、ヤットコ取付部材２１の前面の上部の左右側面側並びに左側および右側固定部材２３Ｌ，２３Ｒの上面にそれぞれ固定された左側および右側棒固定部材２９Ｌ，２９Ｒとを備える。
【００１７】
ヤットコ取付部材２１の裏面には、図３（ａ）に示すように、絶縁ヤットコ１の一対の把持片１ａの一方の先端部を挿入するための挿入穴が形成されている。
これにより、絶縁ヤットコ１の一対の把持片１ａの一方の先端部をヤットコ取付部材２１の挿入穴に挿入したのちに、取付ネジ２２によってこの把持片１ａの反把持面（すなわち、絶縁クリップ１０の上側または下側把持部材１３Ｕ，１３Ｄを把持する面と反対側の面）を固定することにより、絶縁ヤットコ１の一対の把持片１ａにクリップ把持工具２０を１個ずつ取り付けることができる。
【００１８】
左側および右側可動部材２４Ｌ，２４Ｒの末端部には、支持棒２６を貫通させるための貫通孔がそれぞれ形成されており、左側および右側可動部材２４Ｌ，２４Ｒの貫通孔に支持棒２６が通されることにより、左側および右側可動部材２４Ｌ，２４Ｒは図３（ｂ）に右側可動部材２４Ｒについて示すように支持棒２６に回転自在に取り付けられている。
左側および右側ねじりバネ２７Ｌ，２７Ｒは、図１（ａ），（ｂ）に示すように、左右端が左側および右側棒固定部材２３Ｌ，２３Ｒにそれぞれ固定されたバネ取付棒２８の中央部の左右にそれぞれ巻き付けられた左側および右側巻回部と、左側および右側巻回部の右端および左端から末広がりにそれぞれ拡開されて延びたかつヤットコ取付部材２１の前面および上面に固定された第１の左側および右側線状部と、左側および右側巻回部の左端および右端から末広がりにそれぞれ拡開されて延びたかつ左側および右側可動部材２４Ｌ，２４Ｒの上面に固定された第２の左側および右側線状部とを備える。
これにより、左側および右側可動部材２４Ｌ，２４Ｒは、通常は、左側および右側ねじりバネ２７Ｌ，２７Ｒによって下方にそれぞれ付勢されているため、図３（ｂ）に破線で示すように下部が左側および右側固定部材２３Ｌ，２３Ｒの底面よりも下側にそれぞれ位置するが、左側および右側可動部材２４Ｌ，２４Ｒの底面に上向きの力が加わると、左側および右側ねじりバネ２７Ｌ，２７Ｒの付勢力に抗して支持棒２６を中心として同図図示時計回りに回転する。
【００１９】
ガタツキ防止部材２５は、中央部に支持棒２６を貫通させるための貫通孔が形成されており、図１（ｂ）に示すように支持棒２６を貫通孔に通すことにより、支持棒２６の中央部に固定されている。
また、ガタツキ防止部材２５の両端には、径が大きくされた円板がそれぞれ取り付けられており、左側および右側可動部材２４Ｌ，２４Ｒが回転する際のガタツキを軽減するようにされている。
【００２０】
次に、本実施例による絶縁クリップ把持用先端工具の使用方法について、図４乃至図６を参照して説明する。
作業員は、絶縁ヤットコ１の一対の把持片１ａにクリップ把持工具２０を１個ずつ取り付けたのち、２個のクリップ把持工具２０が絶縁クリップ１０の上側および下側把持部材１３Ｕ，１３Ｄにそれぞれ当接するまで、絶縁クリップ１０に向けて絶縁ヤットコ１を伸ばしていく（図４の矢印参照）。
【００２１】
このとき、２個のクリップ把持工具２０のヤットコ取付部材２１の底面が図５（ａ）に示すように絶縁クリップ１０の上側および下側外枠部１３Ｕａ，１３Ｄａにそれぞれ当接した場合でも、一方のクリップ把持工具２０の左側および右側可動部材２４Ｒ，２４Ｌは左側および右側ねじりバネ２７Ｌ，２７Ｒによって付勢されて上側突起物１４Ｕを挟んで絶縁クリップ１０の上側板状部１３Ｕｂの上面に当接するとともに、他方のクリップ把持工具２０の左側および右側可動部材２４Ｒ，２４Ｌは左側および右側ねじりバネ２７Ｌ，２７Ｒによって付勢されて下側突起物１４Ｄを挟んで絶縁クリップ１０の下側板状部１３Ｄｂの下面に当接する。
【００２２】
したがって、その後に作業員が図５（ｂ）に矢印で示すように絶縁ヤットコ１の一対の把持片１ａが閉じるように作動棒１ｂを操作すると、一方のクリップ把持工具２０の左側および右側可動部材２４Ｒ，２４Ｌは左側および右側ねじりバネ２７Ｌ，２７Ｒの付勢力に抗して上方に向かって移動するともに、他方のクリップ把持工具２０の左側および右側可動部材２４Ｒ，２４Ｌは左側および右側ねじりバネ２７Ｌ，２７Ｒの付勢力に抗して下方に向かって移動する。
その結果、一方のクリップ把持工具２０の左側および右側可動部材２４Ｒ，２４Ｌによって上側突起物１４Ｕを挟むとともに他方のクリップ把持工具２０の左側および右側可動部材２４Ｒ，２４Ｌによって下側突起物１４Ｄを挟んだまま、一方のクリップ把持工具２０の左側および右側固定部材２３Ｒ，２３Ｌの底面全体を絶縁クリップ１０の上側板状部１３Ｕｂの上面に当接させるとともに他方のクリップ把持工具２０の左側および右側固定部材２３Ｒ，２３Ｌの底面全体を絶縁クリップ１０の下側板状部１３Ｄｂの下面に当接させた状態で絶縁クリップ１０の上側および下側挟み部材１１Ｕ，１１Ｄを開いていって、絶縁クリップ１０を開状態にすることができる。
このとき、絶縁クリップ１０を回転させる力が作用しても、一方のクリップ把持工具２０のヤットコ取付部材２１の底面が絶縁クリップ１０の上側外枠部１３Ｕａと接触しているとともに一方のクリップ把持工具２０の左側および右側可動部材２４Ｒ，２４Ｌの一方が上側突起物１４Ｕに当接し、また、他方のクリップ把持工具２０のヤットコ取付部材２１の底面が絶縁クリップ１０の下側外枠部１３Ｄａと接触しているとともに他方のクリップ把持工具２０の左側および右側可動部材２４Ｒ，２４Ｌの一方が下側突起物１４Ｄに当接するため、絶縁ヤットコ１が回転したり落下したりすることを防止できる。
【符号の説明】
【００２３】
１  絶縁ヤットコ
１ａ  把持片
１ｂ  作動棒
１０  絶縁クリップ
１１Ｕ，１１Ｄ  上側および下側挟み部材
１２  連結部
１２ａ  固定ピン
１３Ｕ，１３Ｄ  上側および下側把持部材
１３Ｕａ，１３Ｄａ  上側および下側外枠部
１３Ｕｂ，１３Ｄｂ  上側および下側板状部
１４Ｕ，１４Ｄ  上側および下側突起物
２０  クリップ把持工具
２１  ヤットコ取付部材
２２  取付ネジ
２３Ｌ，２３Ｒ  左側および右側固定部材
２４Ｌ，２４Ｒ  左側および右側可動部材
２５  ガタツキ防止部材
２６  支持棒
２７Ｌ，２７Ｒ  左側および右側ねじりバネ
２８  バネ取付棒
２９Ｌ，２９Ｒ  左側および右側棒固定部材
【要約】
【課題】絶縁クリップを安定よく把持できる絶縁クリップ把持用先端工具を提供する。
【解決手段】絶縁クリップ把持用先端工具は、絶縁クリップ１０の円形板状に形成された上側および下側把持部材１３Ｕ，１３Ｄの把持面の中央部にそれぞれ突設された上側および下側突起物１４Ｕ，１４Ｄと、絶縁ヤットコ１の一対の把持片１ａに１個ずつ取り付けられる、かつ、絶縁ヤットコ１の一対の把持片１ａで絶縁クリップ１０の上側および下側把持部材１３Ｕ，１３Ｄを把持して絶縁クリップ１０の上側および下側挟み部材１１Ｕ，１１Ｄを閉状態から開状態に切り替える際に上側および下側突起物１４Ｕ，１４Ｄの一方を挟むコの字型の把持部を備えたクリップ把持工具２０とを具備する。
【選択図】図４【図１】
0005409883.tif 000002
【図２】
0005409883.tif 000003
【図３】
0005409883.tif 000004
【図４】
0005409883.tif 000005
【図５】
0005409883.tif 000006
【図７】
0005409883.tif 000007
【図６】
0005409883.tif 000008